(57)【要約】【課題】容器支持枠を前後向きが適正な向きとなる状態で的確に装着でき、しかも、容器支持枠の前後向きが適正向きであることが認識し易いグリルを提供する。【解決手段】容器支持枠９が、グリル庫の両横側部に設けた左右の固定レールにてグリル庫前後方向に移動自在に支持された左右の可動レール１７を備える出退枠Ｌに対して、着脱自在に支持され、容器支持枠９におけるグリル庫前後方向に延びる姿勢の左右の主枠部９Ｓが、グリル庫横幅方向での位置が異なる内方側部分９ｎと外方側部分９ｇとを備える形態に構成され、出退枠Ｌに、容器支持枠９の前後向きが適正である場合には、容器支持枠９を出退枠Ｌの適正装着位置に載置されることを許容し、且つ、容器支持枠９の前後向きが反対である場合には、内方側部分又は外方側部分との接当により、容器支持枠９が出退枠Ｌに対する適正装着位置に載置されることを牽制する牽制部Ｔが設けられている。【選択図】図１９
2019208668.tif 000002
【特許請求の範囲】
【請求項１】
調理容器を着脱自在に載置支持する容器支持枠が、グリル庫の両横側部に設けた左右の固定レールにてグリル庫前後方向に移動自在に支持された左右の可動レールを備える出退枠に対して、着脱自在に支持され、
前記容器支持枠が、前記グリル庫前後方向に延びる姿勢の左右の主枠部、当該左右の主枠部の前側部分の間に位置する前方側容器支持部、及び、前記左右の主枠部の後側部分の間に位置する後方側容器支持部を備える形態に形成されているグリルであって、
前記主枠部が、グリル庫横幅方向での位置が異なる内方側部分と外方側部分とを備える形態に構成され、
前記出退枠に、前記容器支持枠の前後向きが適正である場合には、前記容器支持枠が前記出退枠の適正装着位置に載置されることを許容し、且つ、前記容器支持枠の前後向きが反対である場合には、前記内方側部分又は前記外方側部分との接当により、前記容器支持枠が前記出退枠に対する前記適正装着位置に載置されることを牽制する牽制部が設けられているグリル。
【請求項２】
左右の前記可動レールの夫々に、前記容器支持枠における左右の前記主枠部を載置支持する載置支持部が設けられ、
前記適正装着位置が、左右の前記主枠部を前記載置支持部に載置する位置である請求項１に記載のグリル。
【請求項３】
前記牽制部が、前記載置支持部から上方に突出する状態で設けられている請求項２に記載のグリル。
【請求項４】
左右の前記主枠部の夫々が、前記内方側部分と前記外方側部分とを備える形態に構成され、
前記牽制部が、左右の前記可動レールの夫々に設けた前記載置支持部に設けられている請求項３に記載のグリル。
【請求項５】
前記載置支持部に、前記容器支持枠の被支持部を支持して、当該容器支持枠のグリル庫前後方向の位置を位置決めする前後位置決め部と、左右の前記主枠部を支持して、前記容器支持枠のグリル庫横幅方向の位置を位置決めする横位置決め部とが設けられている請求項２〜４のいずれか１項に記載のグリル。
【請求項６】
前記被支持部が、前記容器支持枠の前方側箇所に、前記グリル庫横幅方向に沿う軸状に形成され、
前記前後位置決め部が、下向きに凹入する凹部を備える状態に形成されている請求項５に記載のグリル。
【請求項７】
前記前後位置決め部が、前記被支持部を前記凹部に受止め案内する下向きの傾斜案内部を前記凹部の前部及び後部に備える形態に構成されている請求項６に記載のグリル。
【請求項８】
前記固定レールにて前記グリル庫前後方向に移動自在に案内支持される中間レールが設けられ、前記可動レールが、前記中間レールにて前記グリル庫前後方向に移動自在に案内支持されている請求項１〜７のいずれか１項に記載のグリル。
【発明の詳細な説明】
【技術分野】
【０００１】
本発明は、調理容器を着脱自在に載置支持する容器支持枠が、グリル庫の両横側部に設けた左右の固定レールにてグリル庫前後方向に移動自在に支持された左右の可動レールを備える出退枠に対して、着脱自在に支持され、
前記容器支持枠が、前記グリル庫前後方向に延びる姿勢の左右の主枠部、当該左右の主枠部の前側部分の間に位置する前方側容器支持部、及び、前記左右の主枠部の後側部分の間に位置する後方側容器支持部を備える形態に形成されているグリルに関する。
【背景技術】
【０００２】
かかるグリルは、主として、ガスコンロに装備されて使用されるものであり、前方側容器支持部及び後方側容器支持部にて載置支持する形態で、調理容器が容器支持枠に載置支持されることになる。
ちなみに、調理容器としては、上部が開放されたプレートパン（グリル皿）や蓋が装着自在な調理鍋があり、これらプレートパン（グリル皿）や調理鍋が、容器支持枠に付け替えられることになる。
【０００３】
また、容器支持枠が出退枠に対して着脱できるから、容器支持枠が汚れたときには、容器支持枠を出退枠から外して洗浄することができるため、容器支持枠を美麗な状態に保つことができる。
【０００４】
かかるグリルの従来例として、容器支持枠の前部側の被係止部が、出退枠の前部側に設けた係止部により上下揺動自在に係止され、後方側容器支持部よりも後方側に突出する状態で容器支持枠の後部側に設けた被載置部が、グリル庫の底部に設けた載置支持部により摺動自在に載置支持されたものがある（例えば、特許文献１参照）。
【０００５】
従って、容器支持枠は、前後向きを適正な向きにする状態で出退枠に装着することにより、プレートパン（グリル皿）や調理鍋等の調理容器を適正通り載置支持できる状態となるため、出退枠に装着する際には、前後向きを適正な向きにする必要がある。
【０００６】
ちなみに、特許文献１においては、前方側容器支持部には、調理鍋の周壁部の前方側に設けた規制用凸部が係入する係入用凹部が形成されるのに対して、後方側容器支持部には、係入用凹部が形成されていないため、前後向きを反転した状態で容器支持枠を出退枠に装着すると、前後向きが適正となる状態で調理鍋を支持することができないものとなる。
【先行技術文献】
【特許文献】
【０００７】
【特許文献１】特開２０１６−２２０７３号公報
【発明の概要】
【発明が解決しようとする課題】
【０００８】
従来のグリルにおいては、容器支持枠が前後向きを反転させた状態で装着されることに対して特別な対策が採られていないため、前後向きを反転させた状態で容器支持枠を装着する虞があり、改善が望まれている。
【０００９】
つまり、従来のグリルにおいては、容器支持枠の前部側の被係止部を出退枠の前部側に設けた係止部に係止し、容器支持枠の後部側の被載置部をグリル庫の底部に設けた載置支持部に載置する状態に、容器支持枠を装着するものであり、容器支持枠が前後向きを反転させた状態で装着される可能性が低いと考えられる。
【００１０】
しかしながら、例えば、不慣れな使用者等が、容器支持枠の後部側の被載置部を出退枠の前部側に設けた係止部に引掛け、容器支持枠の前部側の被係止部をグリル庫の底部に設けた載置支持部に載置する状態で、容器支持枠を装着する可能性がある等、前後向きを反転させた状態で容器支持枠を装着する可能性があった。
【００１１】
ちなみに、容器支持枠を出退枠に装着する際に、後方側容器支持部よりも後方側に突出する被載置部を容器支持枠の後部側に設けることを省略して、容器支持枠の全体を出退枠に載置支持する形態で装着することが考えられるが、このような場合には、容器支持枠の前後向きが認識し難くなるため、前後向きを反転させた状態で容器支持枠を装着する虞が高くなるものであった。
【００１２】
本発明は、上記実情に鑑みて為されたものであって、その目的は、容器支持枠を前後向きが適正な向きとなる状態で的確に装着でき、しかも、容器支持枠の前後向きが適正向きであることが認識し易いグリルを提供する点にある。
【課題を解決するための手段】
【００１３】
本発明のグリルは、調理容器を着脱自在に載置支持する容器支持枠が、グリル庫の両横側部に設けた左右の固定レールにてグリル庫前後方向に移動自在に支持された左右の可動レールを備える出退枠に対して、着脱自在に支持され、
前記容器支持枠が、前記グリル庫前後方向に延びる姿勢の左右の主枠部、当該左右の主枠部の前側部分の間に位置する前方側容器支持部、及び、前記左右の主枠部の後側部分の間に位置する後方側容器支持部を備える形態に形成されているものであって、その特徴構成は、
前記主枠部が、グリル庫横幅方向での位置が異なる内方側部分と外方側部分とを備える形態に構成され、
前記出退枠に、前記容器支持枠の前後向きが適正である場合には、前記容器支持枠が前記出退枠の適正装着位置に載置されることを許容し、且つ、前記容器支持枠の前後向きが反対である場合には、前記内方側部分又は前記外方側部分との接当により、前記容器支持枠が前記出退枠に対する前記適正装着位置に載置されることを牽制する牽制部が設けられている点にある。
【００１４】
すなわち、前後向きが反対となる状態で容器支持枠を出退枠の適正装着位置に載置させようとする場合には、主枠部の内方側部分又は外方側部分が牽制部と接当することにより、容器支持枠が出退枠の適正装着位置に載置することが牽制される。
【００１５】
そして、前後向きが適正となる状態で容器支持枠を出退枠の適正装着位置に載置させる場合には、主枠部の内方側部分又は外方側部分が牽制部と接当することがなく、容器支持枠が出退枠の適正装着位置に載置することが許容されることになる。
したがって、容器支持枠を前後向きが適正な向きとなる状態で的確に装着することができる。
【００１６】
また、容器支持枠の主枠部がグリル庫横幅方向での位置が異なる内方側部分と外方側部分とを備える形態に構成されているから、容器支持枠の全体形状を判断することにより、容器支持枠の前後向きが適正であるか否かが認識し易いものとなる。
尚、容器支持枠の前後向きが適正であるか否かが認識し易いと、前後向きが反対となる状態で容器支持枠を出退枠の適正装着位置に載置しようとすることを回避できるものとなり、結果的に、容器支持枠を前後向きが適正な向きとなる状態で装着することを良好に行えるものとなる。
【００１７】
要するに、本発明の特徴構成によれば、容器支持枠を前後向きが適正な向きとなる状態で的確に装着でき、しかも、容器支持枠の前後向きが適正向きであることが認識し易いグリルを提供できる。
【００１８】
本発明のグリルの更なる特徴構成は、左右の前記可動レールの夫々に、前記容器支持枠における左右の前記主枠部を載置支持する載置支持部が設けられ、
前記適正装着位置が、左右の前記主枠部を前記載置支持部に載置する位置である点にある。
【００１９】
すなわち、容器支持枠の左右の主枠部を、左右の可動レールの載置支持部に載置支持するものであるから、左右の主枠部が載置支持部にて支持されることにより、容器支持枠を安定性良く支持することができる。
【００２０】
しかも、容器支持枠の全体の荷重を左右の可動レールにて支持するものとなるから、容器支持枠を装着した出退枠をグリル庫前後方向に円滑に移動させることができるため、出退枠を出退操作する操作力を軽減させ、かつ、異音の発生を回避することができる。
【００２１】
要するに、本発明のグリルの更なる特徴構成によれば、容器支持枠を安定性良く支持することができ、しかも、出退枠を出退操作する操作力を軽減させ、かつ、異音の発生を回避することができる。
【００２２】
本発明のグリルの更なる特徴構成は、前記牽制部が、前記載置支持部から上方に突出する状態で設けられている点にある。
【００２３】
すなわち、前後向きが反対となる状態で容器支持枠を載置支持部に載置させようとする場合には、載置支持部から上方に突出状態で設けられている牽制部に対して、主枠部の内方側部分又は外方側部分が接当することにより、容器支持枠が載置支持部の適正装着位置に載置することが牽制される。
【００２４】
また、前後向きが適正となる状態で容器支持枠を載置支持部に載置させる場合には、主枠部の内方側部分又は外方側部分が牽制部と接当することがなく、容器支持枠を載置支持部の適正装着位置に載置することが許容されることになる。
【００２５】
そして、適正装着位置を形成する載置支持部に牽制部が設けられているから、適正装着位置と牽制部とを精度良く位置関係付けることができるため、牽制部の牽制作用を適切に発揮させて、前後向きが反対となる状態で容器支持枠を載置支持部に載置されることを適切に牽制することができる。
【００２６】
要するに、本発明のグリルの更なる特徴構成によれば、前後向きが反対となる状態で容器支持枠を載置支持部に載置されることを適切に牽制することができる。
【００２７】
本発明のグリルの更なる特徴構成は、左右の前記主枠部の夫々が、前記内方側部分と前記外方側部分とを備える形態に構成され、
前記牽制部が、左右の前記可動レールの夫々に設けた前記載置支持部に設けられている点にある。
【００２８】
すなわち、容器支持枠の左右の主枠部の夫々が、グリル庫横幅方向での位置が異なる内方側部分と外方側部分とを備える形態に構成されているから、容器支持枠の全体形状を判断することにより、容器支持枠の前後向きが適正であるか否かが一層認識し易いものとなる。
【００２９】
したがって、容器支持枠の前後向きが適正であるか否かが認識し易いため、前後向きが反対となる状態で容器支持枠を出退枠の適正装着位置に載置しようとすることを適切に回避させて、容器支持枠を前後向きが適正な向きとなる状態で装着することを一層良好に行えるものとなる。
【００３０】
また、牽制部が、左右の可動レールの夫々に設けた載置支持部に設けられているから、誤って、前後向きが反対となる状態で容器支持枠を載置支持部に載置させようとする場合において、容器支持枠を載置支持部の適正装着位置に載置することが適切に牽制される。
【００３１】
要するに、本発明のグリルの更なる特徴構成によれば、容器支持枠を前後向きが適正な向きとなる状態で装着することを一層良好に行えるものとなる。
【００３２】
本発明のグリルの更なる特徴構成は、前記載置支持部に、前記容器支持枠の被支持部を支持して、当該容器支持枠のグリル庫前後方向の位置を位置決めする前後位置決め部と、左右の前記主枠部を支持して、前記容器支持枠のグリル庫横幅方向の位置を位置決めする横位置決め部とが設けられている点にある。
【００３３】
すなわち、容器支持枠の被支持部が、グリル庫前後方向の位置を前後位置決め部にて位置決めされ、容器支持枠の主枠部が、グリル庫横幅方向の位置を横位置決め部にて位置決めされるものであるから、容器支持枠が、グリル庫前後方向の位置及びグリル庫横幅方向の位置を適切に位置決めされた状態で載置支持部に装着されることになる。
【００３４】
したがって、グリル庫前後方向の位置及びグリル庫横幅方向の位置を適切に位置決めされた状態で載置支持部に装着されている容器支持枠にて、調理容器を適切に支持することができる。
【００３５】
要するに、本発明のグリルの更なる特徴構成によれば、グリル庫前後方向の位置及びグリル庫横幅方向の位置を位置決めされた容器支持枠にて、調理容器を適切に支持することができる。
【００３６】
本発明のグリルの更なる特徴構成は、前記被支持部が、前記容器支持枠の前方側箇所に、前記グリル庫横幅方向に沿う軸状に形成され、
前記前後位置決め部が、下向きに凹入する凹部を備える状態に形成されている点にある。
【００３７】
すなわち、グリル庫横幅方向に沿う軸状に形成された被支持部が、前後位置決め部における下向きに凹入する凹部に係入することにより、被支持部のグリル庫前後方向での位置が位置決めされることになる。
【００３８】
そして、グリル庫横幅方向に沿う軸状に形成された被支持部が、容器支持枠の前方側箇所に形成されているから、容器支持枠を載置支持部に載置する際に、先ず、軸状の被支持部を凹部として形成された前後位置決め部に係入させ、次に、被支持部を中心にして容器支持枠を下方側に揺動させる手順を用いて、良好に載置することができる。
【００３９】
要するに、本発明のグリルの更なる特徴構成によれば、容器支持枠を載置支持部に良好に載置することができる。
【００４０】
本発明のグリルの更なる特徴構成は、前記前後位置決め部が、前記被支持部を前記凹部に受止め案内する下向きの傾斜案内部を前記凹部の前部及び後部に備える形態に構成されている点にある。
【００４１】
すなわち、グリル庫横幅方向に沿う軸状に形成された被支持部を、前後位置決め部における下向きに凹入する凹部に係入する際に、凹部の前部及び後部に位置する傾斜案内部にて、被支持部を凹部に向けて案内移動させることができるから、被支持部を前後位置決め部の凹部に良好に係入させることができるため、容器支持枠を載置支持部に載置することを一層良好に行うことができる。
【００４２】
要するに、本発明のグリルの更なる特徴構成によれば、容器支持枠を載置支持部に載置することを一層良好に行うことができる。
【００４３】
本発明のグリルの更なる特徴構成は、前記固定レールにて前記グリル庫前後方向に移動自在に案内支持される中間レールが設けられ、前記可動レールが、前記中間レールにて前記グリル庫前後方向に移動自在に案内支持されている点にある。
【００４４】
すなわち、可動レールが中間レールを介して固定レールに支持されるものであるから、可動レールをグリル庫の前方側に大きく突出させることにより、調理容器の全体をグリル庫の前方側に露出させることができる。
【００４５】
したがって、調理容器を容器支持枠に対して着脱することや、調理容器に収納された被調理物の加熱調理具合を見ること等が行い易くなるため、加熱調理を一層良好に行うことができる。
【００４６】
要するに、本発明のグリルの更なる特徴構成によれば、加熱調理を一層良好に行うことができる。
【図面の簡単な説明】
【００４７】
【図１】ガスコンロの斜視図
【図２】グリルの切欠側面図
【図３】グリルの縦断正面図
【図４】排気通路形成部を外した状態のグリルの縦断正面図
【図５】出退枠をグリル庫から引き出した状態のグリルの斜視図
【図６】波型式プレートパンの支持形態を示す斜視図
【図７】調理鍋の支持形態を示す斜視図
【図８】容器支持枠の斜視図
【図９】容器支持枠を外した状態の出退枠の斜視図
【図１０】出退枠の平面図
【図１１】グリル用設定操作部を示す図
【図１２】燃料ガス供給構成を示す回路図
【図１３】グリルの制御構成を示すブロック図
【図１４】容器検出部と平坦式プレートパンとが接当した状態を示す平面図
【図１５】容器検出部と波型式プレートパンとが接当した状態を示す平面図
【図１６】容器検出部と調理鍋とが接当した状態を示す平面図
【図１７】容器検出部と調理容器との上下関係を示す図
【図１８】容器検出部の具体構成を示す斜視図
【図１９】容器支持枠の誤設置防止構成を示す斜視図
【図２０】容器支持枠の誤設置状態を示す平面図
【図２１】容器支持枠の誤設置状態を示す側面図
【図２２】容器支持枠の誤設置状態を示す平面図
【図２３】容器支持枠の誤設置状態を示す側面図
【図２４】別実施形態の分解斜視図
【図２５】別実施形態の平面図
【図２６】別実施形態の要部拡大図
【発明を実施するための形態】
【００４８】
〔実施形態〕
以下、本発明の実施形態を図面に基づいて説明する。
（ガスコンロの全体構成）
図１に示すように、コンロ本体Ｈの上面部に、左右一対のコンロバーナ１を備え、コンロ本体Ｈの内部にグリルＧ（図２参照）を備えるガスコンロが構成されている。
このガスコンロは、キッチンカウンタに形成したコンロ装着口に上方から挿入して組付ける、いわゆるビルトインタイプとして構成されるものであって、コンロ本体Ｈの上部の周縁部には、キッチンカウンタに載置する鍔部が形成されている。
【００４９】
コンロ本体Ｈの上部には、ガラス製の天板２が装備され、そして、天板２の後部側箇所には、グリルＧの調理排気を排出するためのグリル排気口３が形成されている。
また、天板２の上部には、コンロバーナ１にて加熱される鍋等の被加熱物を載置するための五徳４が、左右のコンロバーナ１の夫々に対応して設けられている。
尚、コンロバーナ１の中央部には、図１に示すように、鍋等の被加熱物の存在及び被加熱物の底壁温度を検出するコンロバーナセンサ１Ａが設けられている。
【００５０】
コンロ本体Ｈの上部に装備した天板２の手前側箇所には、左右のコンロバーナ１の夫々に対する左右一対のコンロ用操作具５が、上方に離脱自在に設けられ、コンロ本体Ｈの前面部の右側箇所には、グリルＧに対するグリル用設定操作部６が、下方側を支点にした前後揺動により開閉自在に設けられている。尚、図１は、グリル用設定操作部６の開き状態を例示する。
また、コンロ本体Ｈの前面部におけるグリル用設定操作部６の上部箇所には、ガスコンロを運転状態と運転停止状態とに切換える電源スイッチＳＷが装備されている。
【００５１】
ちなみに、一対のコンロ用操作具５の夫々は、前後や左右のスライド操作及び左右の回転操作により、点火及び消火の指令、目標火力の指令、目標温度に維持する自動温度調理の指令等、各種の指令情報を指令するように構成されている。
グリル用設定操作部６は、複数の指令スイッチを備えて、それらの複数の指令スイッチの操作により、グリルＧの加熱調理用の加熱部としてのグリルバーナＡ（図２参照）に対する点火及び消火の指令、目標火力の指令、調理モードの指令等、各種の指令情報を指令するように構成されており、その詳細は後述する。
【００５２】
（グリルの構成）
グリルＧには、図２及び図３に示すように、前部及び後部が開口する筒状に形成されたグリル庫７（図４参照）が備えられ、グリル扉８（図１参照）を前端部に備え且つ被調理物を加熱調理する調理容器Ｋを着脱自在に載置支持する容器支持枠９を装備した出退枠Ｌが、グリル庫７の前部に突出した突出状態とグリル庫７の内部の設定収納位置に収納された収納状態とに出退自在にグリル庫７に設けられている。
容器支持枠９を装備した出退枠Ｌは、複数種の調理容器Ｋを付替え自在な調理容器支持部に相当する。
グリル庫７の後部に、調理排気用排気口Ｕが開口され、排気通路形成部Ｄが、排気通路Ｅを調理排気用排気口Ｕに連通させる形態で形成するように構成されている。
【００５３】
調理容器Ｋは、形態が異なる複数種のものが用意されており、容器支持枠９が、複数種の調理容器Ｋを付け替え装着自在で且つ装着した調理容器Ｋを位置決め保持する調理容器装着部として構成されている。
したがって、容器支持枠９を装備した出退枠Ｌが、複数種の調理容器Ｋを付け替え装着自在で且つ装着した調理容器Ｋを位置決め保持することになる。
【００５４】
本実施形態においては、複数種の調理容器Ｋとして、上部が開放した開放式調理容器と蓋装着式調理容器とがある。
開放式調理容器として、調理物載置面が平坦状で当該調理物載置面の周縁に周壁部を備える平坦式プレートパンＫｈ（図５参照）及び調理物載置面が波型状で当該調理物載置面の周縁に周壁部を備える波型式プレートパンＫｎ（図６参照）が設けられている。
また、蓋装着式調理容器として、蓋Ｊを着脱自在な調理鍋Ｋｔ（図７参照）が設けられている。
【００５５】
グリル庫７の後部には、図３及び図４に示すように、出退枠Ｌがグリル庫７の設定収納位置に収納された収納状態において、調理容器Ｋに接当する容器検出部Ｓが備えられている。そして、この容器検出部Ｓを用いて、調理容器Ｋの種別を検出する容器種別検出部Ｍ（図１３参照）が設けられている。
つまり、容器種別検出部Ｍにより、容器支持枠９に支持されている調理容器Ｋが、平坦式プレートパンＫｈ、波型式プレートパンＫｎ、及び、調理鍋Ｋｔのいずれであるかが検出されるように構成されている。
ちなみに、出退枠Ｌの設定収納位置においては、グリル扉８がグリル庫７の前部の開口を閉じた状態となる。
【００５６】
また、ガスコンロの運転を制御する運転制御部Ｗ（図１３参照）が、容器種別検出部Ｍの検出情報に基づいて、グリルバーナＡの加熱作動を制御するように構成されており、その詳細は後述する。
【００５７】
図２及び図３に示すように、グリル庫７の底壁７ｄには、調理容器Ｋを下方から加熱する下バーナ１０が、出退枠Ｌ９がグリル庫７の内部に収納された状態において調理容器Ｋの下方に位置する状態に配置され、グリル庫７の上壁７ｕ（天井部）には、調理容器Ｋを上方から加熱する上バーナ１１が、出退枠９がグリル庫７の内部に収納された状態において調理容器Ｋの上方に位置する状態に配置されている。
つまり、本実施形態においては、グリルバーナＡとして、下バーナ１０と上バーナ１１とが設けられている。
【００５８】
下バーナ１０は、図２に示すように、円筒状の下バーナ本体部１０Ａと、その下バーナ本体部１０Ａに接続される下バーナ混合管部１０Ｂとを備え、下バーナ本体部１０Ａには、周方向に沿って炎孔Ｆ（図３参照）が形成されている。つまり、下バーナ１０は、炎孔Ｆを環状に備える形態に構成されている。
【００５９】
そして、下バーナ１０は、燃料ガスが下バーナ用噴出ノズル１２から下バーナ混合管部１０Ｂの端部に噴出供給される際に、一次空気がエジェクタ作用によって下バーナ混合管部１０Ｂの内部に供給されることにより、一次空気と燃料ガスとの混合ガスを上述の炎孔Ｆに供給して一次燃焼させ、かつ、グリル庫７の底壁７ｄや横側壁７ｓ等に形成した空気孔（図示せず）等からグリル庫７の内部に取り入れられた外気を二次空気として用いて二次燃焼させる、いわゆるブンゼン燃焼式バーナとして構成されている。
【００６０】
下バーナ１０の内部には、図２及び図３に示すように、調理容器Ｋの温度を検出する温度検出センサとして、調理容器Ｋの底壁温度を検出する容器温度検出センサ１３が装備されている。
容器温度検出センサ１３の検出情報は、運転制御部Ｗ（図１３参照）に入力される。
【００６１】
尚、出退枠Ｌの出退に連動して容器温度検出センサ１３を昇降させて、出退枠Ｌがグリル庫７の内部の設定収納位置及びその近くに位置するときには、容器温度検出センサ１３を調理容器Ｋの底部に接触させる上昇位置に位置させ、出退枠Ｌが設定収納位置の近くの位置からグリル庫７の前方側に突出されるときには、容器温度検出センサ１３を調理容器Ｋの底部から下方側に離れる下降位置に位置させるように構成されているが、本実施形態においては、出退枠Ｌの出退に連動して容器温度検出センサ１３を昇降させる機構についての詳細な説明は省略する。
【００６２】
上バーナ１１は、下向きの平板状の火炎を形成する輻射式バーナであり、図３に示すように、平板状の上バーナ本体部１１Ａと、その上バーナ本体部１１Ａに接続される上バーナ混合管部１１Ｂとを備え、上バーナ本体部１１Ａの下面部に燃焼炎形成部が形成されている。
【００６３】
そして、上バーナ１１は、燃料ガスが上バーナ用噴出ノズル（図示せず）から上バーナ混合管部１１Ｂの端部に噴出供給される際に、一次空気がエジェクタ作用によって上バーナ混合管部１１Ｂの内部に供給されることにより、一次空気と燃料ガスとの混合ガスを上述の燃焼炎形成部に供給して一次燃焼させ、かつ、グリル庫７の底壁７ｄや横側壁７ｓ等に形成した空気孔（図示せず）等からグリル庫７の内部に取り入れられた外気を二次空気として用いて二次燃焼させる、いわゆるブンゼン燃焼式バーナとして構成されている。
【００６４】
尚、図１２及び図１３に示すように、下バーナ１０及び上バーナ１１の夫々に対して、点火装置としての点火プラグＰａ、及び、着火状態検出装置としての着火センサＰｂが装備され、コンロバーナ１についても、同様に、点火プラグＰａ及び着火センサＰｂが装備されている。
【００６５】
（出退枠及び容器支持枠の具体構成）
図３に示すように、グリル庫７の左右の横側壁７ｓの底部側部分に、長手方向をグリル庫７の前後方向に向けた姿勢で固定設置される状態で固定レール１５が設けられ、その固定レール１５に対してグリル庫７の前後方向に移動自在に支持される中間レール１６、及び、その中間レール１６に対してグリル庫７の前後方向に移動自在に支持される可動レール１７を備えたスライドレール式の案内機構Ｂが設けられている。
【００６６】
図５に示すように、上述の出退枠Ｌが、左右に並ぶ一対の可動レール１７の先端部の間に、グリル扉８を装着するための扉支持板１８が架設する形態にて形成され、容器支持枠９が、出退枠Ｌに着脱自在に支持されている。
グリル扉８は、扉支持板１８の前面側に当て付けた状態で、扉支持板１８に装着されるように構成されている（図２参照）。
【００６７】
容器支持枠９は、図８に示すように、棒状材を曲げ加工して形成されるものであって、グリル庫前後方向に延びる姿勢の左右の主枠部９Ｓ、当該左右の主枠部９Ｓの前側部分の間に上方側に突出する姿勢で位置する前方側容器支持部９Ｆ、及び、左右の主枠部９Ｓの後側部分の間に上方側に突出する姿勢で位置する後方側容器支持部９Ｒを備える形態に形成されている。
【００６８】
図９に示すように、左右の前記可動レール１７の夫々に、左右の主枠部９Ｓを載置支持する載置支持部としての載置支持枠２０が設けられ、容器支持枠９が、左右の主枠部９Ｓを左右の載置支持枠２０に載置する形態で、左右の可動レール１７に対して着脱自在に支持されている。
また、容器支持枠９が、前方側容器支持部９Ｆ及び後方側容器支持部９Ｒを載置支持枠２０よりもグリル庫内方側に位置させる形態に構成されている。
【００６９】
図９及び図１０に示すように、載置支持枠２０に、容器支持枠９の被支持部９ｈを支持して、当該容器支持枠９のグリル庫前後方向の位置を位置決めする前後位置決め部２０Ｆと、左右の主枠部９Ｓを支持して、容器支持枠９のグリル庫横幅方向の位置を位置決めする横位置決め部２０Ｙとが設けられている。
【００７０】
すなわち、被支持部９ｈが、容器支持枠９の前方側箇所に、グリル庫横幅方向に沿う軸状に形成されている（図８参照）。そして、前後位置決め部２０Ｆが、下向きに凹入する凹部Ｖを備える状態に形成されている。つまり、載置支持枠２０のグリル庫内方側の横端縁から起立させた前側壁部２０ｆに、前後位置決め部２０Ｆを構成する凹部Ｖが形成されている。
したがって、前後位置決め部２０Ｆが、容器支持枠９の被支持部９ｈを凹部Ｖにて受止めることにより、容器支持枠９のグリル庫前後方向の位置を位置決めするように構成されている。
【００７１】
また、前後位置決め部２０Ｆが、被支持部９ｈを凹部Ｖに受止め案内する下向きの傾斜案内部Ｖｓを凹部Ｖの前部及び後部に備える形態に構成されている。つまり、前側壁部２０ｆにおける凹部Ｖの前後両側の上面部分が、凹部Ｖの存在側に傾斜する傾斜状に形成されている。
【００７２】
また、載置支持枠２０のグリル庫外方側の横端縁から横側壁部２０ｙが起立する状態で設けられている。そして、横位置決め部２０Ｙが、容器支持枠９の左右の主枠部９Ｓを横側壁部２０ｙにて受止めることにより、容器支持枠９のグリル庫横幅方向の位置を位置決めするように構成されている。
【００７３】
したがって、容器支持枠９を載置支持枠２０に装着する際には、先ず、被支持部９ｈを凹部Ｖに係合させ、その状態において、被支持部９ｈを中心にして、容器支持枠９を下方側に揺動させることにより、容器支持枠９を載置支持枠２０に載置する適正装着位置に装着できるように構成されている。
【００７４】
（グリル庫の細部構成）
図２〜図５に示すように、グリル庫７の底壁７ｄを上方から覆う板状の底部カバー体２１が、下バーナ１０を覆う状態で設けられている。底部カバー体２１には、下バーナ１０の燃焼部としての下バーナ本体部１０Ａを上方に突出させるバーナ挿通用開口２１Ａが備えられている。
また、底部カバー体２１が、横端縁部とグリル庫７の横側壁７ｓとの間に載置支持枠２０を挿通させる挿通部Ｎを形成する形態で設けられている。
【００７５】
グリル庫７の横側壁７ｓを覆う状態に着脱自在に装着される板状の内面カバー体２２が設けられ、その内面カバー体２２の下端部に、グリル庫内方側に張り出して載置支持枠２０を覆う張出部２２Ａが設けられている。
ちなみに、内面カバー体２２は、グリル庫７の横側壁７ｓに設けた係止部に係止される状態で装着されることになるが、装着構成の詳細な説明は省略する。
又、張出部２２Ａが、底部カバー体２１の上方箇所に重複する状態に延出されている。
【００７６】
したがって、内面カバー体２２の張出部２２Ａにて、載置支持枠２０及びその載置支持枠２０に載置されている容器支持枠９の主枠部９Ｓを覆うことによって、煮汁等の液状物が載置支持枠２０や主枠部９Ｓに降りかかることを適切に抑制でき、しかも、煮汁等の液状物を底部カバー体２１の上部に回収できる。
【００７７】
（調理排気用排気口の詳細）
図４に示すように、グリル庫７の後壁部２３が、グリル庫７の後部のグリル庫下側部分に配置され、調理排気用排気口Ｕが、グリル庫７の後壁部２３の上方側において、グリル庫７の左右の横側壁７ｓ及びグリル庫７の上壁７ｕにて囲まれた状態でグリル庫横幅方向の全幅に亘って開口する上側開口部Ｕｕと、後壁部２３のグリル庫横幅方向の中央側箇所に開口する下側開口部Ｕｓとを備える形態に開口されている。
【００７８】
つまり、グリル庫７の後壁部２３が、グリル庫７の前後方向視にて、底部カバー体２１よりも上方側で且つグリル庫横幅方向の中央側に相当する箇所に下側開口部Ｕｓを開口する状態に形成されている。換言すれば、後壁部２３が、下側開口部Ｕｓの両横側に左右の壁部分２３Ａを備える状態に形成されている。
そして、図２に示すように、排気通路形成部Ｄが、下側開口部Ｕｓに連通する状態に装着される下側形成部分Ｄｓと、上側開口部Ｕｕ及び下側形成部分Ｄｓの上部に連通する状態に装着される本体形成部分Ｄｈとを備える形態に構成されている。
ちなみに、本体形成部分Ｄｈの内部には、排気通路Ｅの内部で火炎が発生した場合に消炎する消炎体５５が配設されている。
【００７９】
（燃料ガス供給構成）
図１２に示すように、メタンガスを主成分とする都市ガス等の燃料ガスが供給される元ガス供給路２８に、一対のコンロバーナ１に対する一対のコンロ用分岐路２９、及び、グリル用分岐路３０が接続されている。
元ガス供給路２８に、ガスコンロ全体に対する燃料ガスの供給を断続する元ガス弁３１が配置され、一対のコンロ用分岐路２９の夫々に、コンロバーナ１の火力を調節するためのコンロバーナ用ガス量調節弁３２が設けられている。
【００８０】
グリル用分岐路３０に、下バーナ１０及び上バーナ１１に対するガス燃料の供給圧力を設定圧に調整するガバナ３３が設けられ、ガバナ３３にて設定圧に調整されたガス燃料を下バーナ１０に導く下バーナ用供給路３４、及び、ガバナ３３にて設定圧に調整されたガス燃料を上バーナ１１に導く上バーナ用供給路３５が設けられている。
【００８１】
下バーナ用供給路３４には、下バーナ１０の火力を調節するための下バーナ用ガス量調節弁３６が設けられ、上バーナ用供給路３５には、上バーナ１１の火力を調節するための上バーナ用ガス量調節弁３７が設けられている。
ちなみに、下バーナ用ガス量調節弁３６及び上バーナ用ガス量調節弁３７は、燃料ガスの供給開度を全閉開度から最大開度に亘って変更するものであり、下バーナ１０や上バーナ１１の燃焼を停止する際には、下バーナ用ガス量調節弁３６及び上バーナ用ガス量調節弁３７を、全閉開度（閉状態）にする。
【００８２】
（容器種別検出部の具体構成）
図３〜図５に示すように、容器支持枠９を装備した出退枠Ｌに装着された調理容器Ｋの種別を検出する容器種別検出部Ｍが、出退枠Ｌがグリル庫７の設定収納位置に収納された収納状態において調理容器Ｋの周壁部の存否を当該周壁部との接当により検出する２つの容器検出部Ｓを、周壁部の存在検出状態と周壁部の非存在検出状態との組合せが調理容器Ｋの種別毎に異なる組合せとなる状態で、グリル庫７の後壁部２３に設ける形態に構成されている。
【００８３】
説明を加えると、２つの容器検出部Ｓは、後壁部２３における下側開口部Ｕｓの両横側の左右の壁部分２３Ａに振り分ける状態で装着され、かつ、高さを異ならせて設置されている。
本実施形態においては、２つの容器検出部Ｓのうちの左方が右方よりも高く設置されており、左方側が高位側の容器検出部Ｓａとなり、右方側が低位側の容器検出部Ｓｂとなるように配置されている。
【００８４】
図１８に示すように、２つの容器検出部Ｓの夫々は、壁部分２３Ａを貫通してグリル庫７の内部に突出するロッド状の検出体３８と、当該検出体３８をグリル庫内方側に突出する状態に弾性付勢するスプリング３９と、検出体３８と一体移動する移動部材３８Ａに内蔵した磁性体４０と、検出体３８が周壁部との接当により後退移動したことを検出する検出部としての、磁性体４０にて操作されるリードスイッチ４１とを、センサ支持体４２に組付けた状態に構成されている。
ちなみに、センサ支持体４２は、壁部分２３Ａに連結されるコの字状の本体枠４２Ａと、当該本体枠４２Ａに連結されてロッド状の検出体３８を支持する検出体支持枠４２Ｂとからなる。
【００８５】
２つの容器検出部Ｓの存在検出状態と非存在検出状態との組合せは、調理容器Ｋの種別に応じて、以下の３つの組合せに設定されている。
平坦式プレートパンＫｈに対する組合せが、図１４及び図１７に示すように、左右の容器検出部Ｓのうちの右方の低位側の容器検出部Ｓｂが存在検出状態でかつ左方の高位側の容器検出部Ｓａが非存在検出状態となる組合せに設定されている。
波型式プレートパンＫｎに対する組合せが、図１５及び図１７に示すように、高位側の容器検出部Ｓａ及び低位側の容器検出部Ｓｂが存在検出状態となる組合せに設定されている。
【００８６】
また、調理鍋Ｋｔに対する組合せが、図１６及び図１７に示すように、左右の容器検出部Ｓのうちの右方の低位側の容器検出部Ｓｂが非存在検出状態でかつ左方の高位側の容器検出部Ｓａが存在検出状態となる組合せに設定されている。
ちなみに、図１７は、左方の高位側の容器検出部Ｓａと右方の低位側の容器検出部Ｓｂとに対する調理容器Ｋの上下方向の位置関係を示す図である。
【００８７】
つまり、図５及び図６に示すように、平坦式プレートパンＫｈ及び波型式プレートパンＫｎの夫々は、周壁部のうちの前後の周壁部分の高さが左右の周壁部分の高さよりも高く形成されて、前後の周壁部分の上端部に、容器支持枠９の前方側容器支持部９Ｆ及び後方側容器支持部９Ｒに係止支持される帯板状係止部４３が形成されている。
ちなみに、平坦式プレートパンＫｈ及び波型式プレートパンＫｎは、前後向きをいずれに向けた状態でも容器支持枠９に装着自在に構成されている。
【００８８】
そして、波型式プレートパンＫｎの前後の周壁部分が、２つの容器検出部Ｓにて検出される横幅となるように形成されるのに対して、平坦式プレートパンＫｈの前後の周壁部分が、右方の低位側の容器検出部Ｓｂにて検出されかつ左方の高位側の容器検出部Ｓａにて検出されない幅となるように形成されている（図１７参照）。
【００８９】
つまり、平坦式プレートパンＫｈの前後の周壁部分のうちの低位側の容器検出部Ｓｂに対応する部分の高さが、当該低位側の容器検出部Ｓｂにて検出される高さであり、かつ、高位側の容器検出部Ｓａに対応する部分の高さが、当該高位側の容器検出部Ｓａにて検出されない高さである。
波型式プレートパンＫｎの周壁部における前後の周壁部分のうちの低位側の容器検出部Ｓｂに対応する部分の高さが、当該低位側の容器検出部Ｓｂにて検出される高さであり、かつ、高位側の容器検出部Ｓａに対応する部分の高さが、当該高位側の容器検出部Ｓａにて検出される高さである。
【００９０】
また、図１６に示すように、調理鍋Ｋｔが、周壁部をグリル庫前方側に引退させ且つ高位側の左方の容器検出部Ｓａが存在検出状態を検出する被検出部Ｊｋをグリル庫後方側に突出する形態で周壁部に備える形態に構成されている。
本実施形態においては、調理鍋Ｋｔを適正前後向き姿勢で容器支持枠９に載置した状態において、蓋Ｊを適正前後向き姿勢で調理鍋Ｋｔに載置したときに、被検出部Ｊｋが調理鍋Ｋｔの周壁部における後部に位置する状態となる形態で、蓋Ｊから連設されている。
ちなみに、被検出部Ｊｋをグリル庫後方側に突出する形態で周壁部に備える形態とは、蓋Ｊから連設され被検出部Ｊｋが調理鍋Ｋｔの周壁部に並ぶ形態である。
【００９１】
つまり、調理鍋Ｋｔの周壁部における低位側の容器検出部Ｓｂに対応する部分のグリル庫前後幅方向での位置が、当該低位側の容器検出部Ｓｂに検出されないようにグリル庫前後幅方向の前方側に偏位（後退）させた位置であり、かつ、周壁部における高位側の容器検出部Ｓａに対応する部分に、当該高位側の容器検出部Ｓａに検出される被検出部Ｊｋが備えられている。
【００９２】
説明を加えると、調理鍋Ｋｔの周壁部における前後の周壁部分の側面に、前方側容器支持部９Ｆ及び後方側容器支持部９Ｒに係止支持される左右の突起状係止部４４が形成されている。
また、調理鍋Ｋｔの前方側の周壁部分の側面に、牽制用突起Ｑｔが形成されている。
そして、図７及び図８に示すように、容器支持枠９における前方側容器支持部９Ｆには、牽制用突起Ｑｔが入り込むことを許容する許容凹部Ｑｕが形成されるのに対して、後方側容器支持部９Ｒには、牽制用突起Ｑｔが入り込むことを接当阻止する牽制用棒状部Ｑｂが形成されている。
【００９３】
したがって、容器支持枠９に対する調理鍋Ｋｔの前後向き姿勢が適正前後向き姿勢のときには容器支持枠９への載置を許容しかつ容器支持枠９に対する調理鍋Ｋｔの前後向き姿勢が適正前後向き姿勢でないときには容器支持枠９への載置を牽制する容器用規制部Ｑが、牽制用突起Ｑｔ、許容凹部Ｑｕ及び牽制用棒状部Ｑｂから構成されている。
【００９４】
また、調理鍋Ｋｔの周壁部における内面の後方側箇所に、内方側に突出する規制突部Ｒｔが形成され、蓋Ｊにおける後方側箇所に、規制突部Ｒｔが挿通する挿通凹部Ｒｕが形成されている。
したがって、調理鍋Ｋｔに対する蓋Ｊの装着用前後向きが適正前後向きのときには蓋Ｊの装着を許容しかつ調理鍋Ｋｔに対する蓋Ｊの装着用前後向きが適正装着用前後向きでないときには蓋Ｊの装着を牽制する蓋用規制部Ｒが、規制突部Ｒｔ及び挿通凹部Ｒｕから構成されている。
ちなみに、蓋Ｊの後方側部分には、蒸気孔Ｊｎが形成されている。
【００９５】
（グリル用設定操作部の詳細）
図１３に示すように、グリル用設定操作部６の指令情報が運転制御部Ｗに入力されて、運転制御部Ｗが、グリル用設定操作部６の指令情報に基づいて、上バーナ１１及び下バーナ１０の燃焼を制御するように構成されている。
【００９６】
図１１に示すように、グリル用設定操作部６には、オートメニューを選択するオートメニュー選択スイッチ４５、調理モードを選択する調理モード選択スイッチ４６、火加減を設定する火力調節スイッチ４７、グリルバーナＡに対する点火及び消火を指令する点消火スイッチ４８、タイマー調理を設定する時間設定スイッチ４９、時間設定スイッチ４９により設定された加熱調理時間を表示する表示部４９Ａ、入力された情報の取り消しを指令する取消スイッチ５０、及び、チャイルドロックスイッチ５１が備えられている。
【００９７】
オートメニュー選択スイッチ４５は、押し操作により、「オートメニュー」を指令するものであり、そして、押し操作されるごとに、「オートメニュー」の調理メニューとして、「魚：姿焼き」、「魚：切り身」、「鶏もも焼き」、「ホイル焼き」、「トースト」、及び、「ごはん」の調理メニューに順次切換えるように構成されている。尚、「ごはん」とは、炊飯を意味するものである。
【００９８】
ちなみに、「オートメニュー」を実行する際には、オートメニュー選択スイッチ４５を操作して調理メニューを選択した後に、点消火スイッチ４８を操作する、あるいは、点消火スイッチ４８を操作した直後（例えば、４０秒以内）に、オートメニュー選択スイッチ４５を操作して調理メニューを選択することになる。
【００９９】
そして、運転制御部Ｗが、オートメニュー選択スイッチ４５にて選択された複数の調理メニューの夫々について、予め設定されている加熱調理用情報に基づいて、上バーナ１１及び下バーナ１０の火力を自動的に調節しながら、自動的に加熱調理を行い、且つ、加熱調理が終了すると、上バーナ１１及び下バーナ１０を自動的に消火する自動加熱調理を実行するように構成されている。
【０１００】
また、運転制御部Ｗが、自動加熱調理を実行する際に、例えば、「ホイル焼き」等、平坦式プレートパンＫｈ及び波型式プレートパンＫｎのいずれでも加熱調理できる調理メニューについては、容器種別検出部Ｍの検出結果に基づいて、平坦式プレートパンＫｈ及び波型式プレートパンＫｎの夫々について予め設定されている加熱調理用情報に基づいて、加熱調理を実行するように構成されている。
【０１０１】
調理モード選択スイッチ４６は、押し操作により、「調理モード」を指令するものであり、そして、押し操作されるごとに、「調理モード」の調理メニューとして、「焼く」、「あたためる」、「ノンフライ」、「煮る」、「蒸す」、及び、「パン」の調理メニューに順次切換えるように構成されている。
【０１０２】
ちなみに、「調理モード」を実行する際には、調理モード選択スイッチ４６を操作して調理メニューを選択した後に、点消火スイッチ４８を操作する、あるいは、点消火スイッチ４８を操作した直後（例えば、４０秒以内）に、調理モード選択スイッチ４６を操作して調理メニューを選択することになる。
【０１０３】
そして、運転制御部Ｗが、調理モード選択スイッチ４６にて選択された複数の調理メニューの夫々について、予め設定されている加熱調理用情報に基づいて、上バーナ１１及び下バーナ１０の火力を自動的に調節しながら、自動的に加熱調理を行うように構成されている。
尚、「調理モード」においては、加熱調理を停止する際には、点消火スイッチ４８を操作して、上バーナ１１及び下バーナ１０を消火させることになる。
【０１０４】
ちなみに、オートメニューの「ごはん」や、調理モードの「煮る」、「蒸す」、「パン」の調理メニューは、調理鍋Ｋｔを用いて行う調理メニューであり、オートメニューや調理モードにおけるその他の調理メニューは、平坦式プレートパンＫｈを用いて行う調理メニューである。
また、本実施形態においては、平坦式プレートパンＫｈを用いて行う調理メニューのうちの、「トースト」を除いた調理メニューを、波型式プレートパンＫｎを用いて行う調理メニューとする。
【０１０５】
本実施形態においては、タイマー調理を設定する時間設定スイッチ４９、入力された情報の取り消しを指令する取消スイッチ５０、及び、チャイルドロックスイッチ５１の詳細な説明は省略する。
【０１０６】
（運転制御部の制御について）
運転制御部Ｗは、マイクロコンピュータを備えて、グリルＧを備えたガスコンロの全体に対する運転を制御するものであるが、以下においては、グリルＧに備えた下バーナ１０及び上バーナ１１に対する燃焼制御を説明して、コンロバーナ１に対する燃焼制御は省略する。
【０１０７】
運転制御部Ｗは、図１３に示すように、上述したグリル用設定操作部６からの指令情報に基づいて、下バーナ１０及び上バーナ１１に対する燃焼を制御するものである。
例えば、点消火スイッチ４８の操作により点火指令が指令されると、元ガス弁３１、下バーナ用ガス量調節弁３６、及び、上バーナ用ガス量調節弁３７を操作して、下バーナ１０及び上バーナ１１に燃料ガスを供給する状態とし、加えて、下バーナ１０及び上バーナ１１に対する点火プラグＰａを作動させかつ着火センサＰｂにて着火を検出する点火処理を実行することになる。
【０１０８】
また、点消火スイッチ４８の操作により消火指令が指令されると、元ガス弁３１、下バーナ用ガス量調節弁３６、及び、上バーナ用ガス量調節弁３７を閉状態に操作して、下バーナ１０及び上バーナ１１を消火する消火処理を実行することになる。
【０１０９】
また、下バーナ１０及び上バーナ１１の燃焼状態において、火力調節スイッチ４７の操作により火力の変更が指令されると、下バーナ用ガス量調節弁３６及び上バーナ用ガス量調節弁３７を操作して、下バーナ１０及び上バーナ１１の火力を「強」、「中」、「弱」に変更調節する火力調節処理を実行することになる。
【０１１０】
また、自動調理制御として、「オートメニュー」の調理メニューや、「調理モード」の調理メニューが指令された場合には、予め設定された加熱調理用情報に基づいて、上バーナ１１及び下バーナ１０を自動的に点火し、火力を自動的に調節しながら加熱調理を行うことになり、そして、「オートメニュー」の調理メニューが指令された場合には、定められた加熱調理が終了すると、下バーナ１０及び上バーナ１１を自動的に消火することになる。また、「タイマー調理」が指令された場合には、加熱調理時間が経過すると、下バーナ１０及び上バーナ１１を自動的に消火することになる。
【０１１１】
さらに、運転制御部Ｗは、点消火スイッチ４８の操作により点火指令が指令された際に、容器種別検出部Ｍの検出情報（２つの容器検出部Ｓの検出情報）を読み込んで、その検出情報に基づいて、グリルバーナＡの加熱作動の制御等を行うように構成されている。
具体的には、２つの容器検出部Ｓが非存在検出状態では、グリル扉開状態、調理容器非存在状態、又は、蓋なし調理鍋収納状態のいずれかの状態であるため、このような状態においては、運転制御部Ｗは、点消火スイッチ４８の操作により点火指令が指令されても、グリルバーナＡの点火処理を実行せずに、警報ブザー等の警報装置５２を作動させる警報処理を実行するように構成されている。
【０１１２】
また、調理容器Ｋの種別が調理鍋Ｋｔである場合において、オートメニューの「ごはん」や、調理モードの「煮る」、「蒸す」、「パン」等の蓋Ｊを装着した調理鍋Ｋｔを用いて行う調理メニューが選択されているときには、運転制御部Ｗは、点火処理を実行し、オートメニューの「トースト」、「鶏もも焼き」、「ホイル焼き」、「魚：切り身」、「魚：姿焼き」や、調理モードの「焼く」、「あたためる」、「ノンフライ」等の平坦式プレートパンＫｈや波型式プレートパンＫｎを用いて行う調理メニューが選択された場合には、運転制御部Ｗは、点火処理を実行せず警報処理を実行するように構成されている。
【０１１３】
同様に、調理容器Ｋの種別が平坦式プレートパンＫｈである場合において、オートメニューの「トースト」、「鶏もも焼き」、「ホイル焼き」、「魚：切り身」、「魚：姿焼き」や、調理モードの「焼く」、「あたためる」、「ノンフライ」等の調理メニューが選択されているときには、運転制御部Ｗは、点火処理を実行し、オートメニューの「ごはん」や、調理モードの「煮る」、「蒸す」、「パン」等の蓋調理メニューが選択された場合には、運転制御部Ｗは、点火処理を実行せず警報処理を実行するように構成されている。
【０１１４】
さらに、調理容器Ｋの種別が波型式プレートパンＫｎである場合において、オートメニューの「魚：切り身」、「魚：姿焼き」、「鶏もも焼き」、「ホイル焼き」や、調理モードの「焼く」、「あたためる」、「ノンフライ」等の調理メニューが選択された場合は、運転制御部Ｗは、点火処理を実行し、オートメニューの「トースト」、「ごはん」や、調理モードの「煮る」、「蒸す」、「パン」等の調理メニューが選択された場合には、運転制御部Ｗは、点火処理を実行せず警報処理を実行するように構成されている。
【０１１５】
（容器支持枠の誤設置防止）
図１０に示すように、容器支持枠９における左右の主枠部９Ｓが、グリル庫横幅方向での位置が異なる内方側部分９ｎと外方側部分９ｇとを備える形態に構成されている。
本実施形態においては、外方側部分９ｇが、主枠部９Ｓのグリル庫前方側及び前後中央側に位置する部分であり、グリル庫前後方向に沿う姿勢となる形態に構成されている。
そして、内方側部分９ｎが、主枠部９Ｓのグリル庫後方側に位置する部分であり、後方側ほどグリル庫内方側に位置する傾斜姿勢となる形態に構成されている。
【０１１６】
図１０及び図１９に示すように、容器支持枠９は、出退枠Ｌの適正装着位置に載置されることになり、具体的には、上述の説明から明らかな如く、左右の主枠部９Ｓを左右の載置支持枠２０に載置する位置を適正装着位置として、出退枠Ｌに載置されることになる。
【０１１７】
図９、図１０及び図１９に示すように、出退枠Ｌに、容器支持枠９の前後向きが適正である場合には、容器支持枠９が出退枠Ｌの適正装着位置に載置されることを許容し、且つ、容器支持枠９の前後向きが反対である場合には、内方側部分９ｎ又は外方側部分９ｇとの接当により、容器支持枠９が出退枠Ｌの適正装着位置に載置されることを牽制する牽制部Ｔが設けられている。
【０１１８】
牽制部Ｔが、左右の載置支持枠２０から上方に突出する状態で設けられている。
具体的には、左右の載置支持枠２０の夫々のグリル庫後方側箇所に、後側壁部２０ｒが、容器支持枠９が出退枠Ｌの適正装着位置に載置された状態において、外方側部分９ｇの後方側延長線状に位置する状態で形成されている。
したがって、左右の後側壁部２０ｒが、容器支持枠９の前後向きが反対である場合において、外方側部分９ｇと接当する牽制部Ｔとして機能するように構成されている。
【０１１９】
また、前後位置決め部２０Ｆを形成する左右の前側壁部２０ｆが、容器支持枠９の前後向きが反対である場合において、左右の内方側部分９ｎと接当する間隔となる状態で位置するように形成されている。
したがって、左右の前側壁部２０ｆが、容器支持枠９の前後向きが反対である場合において、内方側部分９ｎと接当する牽制部Ｔとして機能するように構成されている。
【０１２０】
尚、載置支持枠２０における横側壁部２０ｙと後側壁部２０ｒとの間に相当する箇所には、容器支持枠９が出退枠Ｌの適正装着位置に載置された状態において、主枠部９Ｓの内方側部分を受止める受止壁部２０ｍが設けられている。
【０１２１】
ちなみに、図２０及び図２１に示すように、容器支持枠９の前後向きが適正向きであるものの、万が一、被支持部９ｈを前側壁部２０ｆの後方側箇所に位置させる状態で容器支持枠９を載置支持枠２０に載置すると、外方側部分９ｇが後側壁部２０ｒと接当することにより、容器支持枠９が後方上がりの傾斜姿勢になるため、誤設置状態であることが分かるものとなる。
そして、その状態で、出退枠Ｌをグリル庫７の内部に押し込むことが考えられるが、この場合には、グリル庫７の上壁７ｕには、上バーナ１１の点火プラグＰａ及び着火センサＰｂを備えたターミナル部Ｃ（図３及び図４参照）が位置するから、容器支持枠９の後端部がターミナル部Ｃと接当することにより、出退枠Ｌをグリル庫７の内部に収納することができない。
【０１２２】
また、図２２及び図２３に示すように、容器支持枠９の前後向きが反対向きとなるときに、内方側部分９ｎを前側壁部２０ｆの後方側箇所に位置させる状態で容器支持枠９を載置支持枠２０に載置すると、外方側部分９ｇが後側壁部２０ｒと接当することにより、容器支持枠９が後方上がりの傾斜姿勢になるため、誤設置状態であることが分かるものとなる。
そして、その状態で、出退枠Ｌをグリル庫７の内部に押し込むことが考えられるが、この場合には、容器支持枠９の後端部がターミナル部Ｃと接当することにより、出退枠Ｌをグリル庫７の内部に収納することができない。
【０１２３】
尚、前後向きが適正向きである容器支持枠９の被支持部９ｈを前側壁部２０ｆの前方側箇所に位置させようとすると、扉支持板１８が容器支持枠９の移動を受止め阻止することになるので、被支持部９ｈを前側壁部２０ｆの前方側箇所に位置させた状態で容器支持枠９を載置支持枠２０に載置することはできない。
同様に、前後向きが反対向きである容器支持枠９の内方側部分９ｎを前側壁部２０ｆの前方側箇所に位置させようとすると、扉支持板１８が容器支持枠９の移動を受止め阻止することになるので、内方側部分９ｎを前側壁部２０ｆの前方側箇所に位置させた状態で容器支持枠９を載置支持枠２０に載置することはできない。
【０１２４】
〔別実施形態〕
次に別実施形態を説明するが、この別実施形態は、容器支持枠９を載置支持枠２０に載置する構成の別実施形態を説明するものであって、その他の構成は上述の実施形態と同様であるので、以下の説明では、上述の実施形態と異なる構成についてのみ説明する。
【０１２５】
図２４及び図２５に示すように、容器支持枠９における左右の主枠部９Ｓにおける前方側寄り箇所に、グリル庫内方側に凹入する凹入部９Ｕが形成されて、内方側部分９ｎと外方側部分９ｇとが形成されている。
左右の載置支持枠２０の横外方側端縁に沿って位置決め壁２０Ｚが形成されている。
そして、図２６に示すように、位置決め壁２０Ｚにおける主枠部９Ｓの凹入部９Ｕに対応する対応壁部分２０ｕが、グリル庫内方側に凹入する状態に形成されている。
【０１２６】
したがって、主枠部９Ｓが位置決め壁２０Ｚに受止られ且つ主枠部９Ｓの凹入部９Ｕが対応壁部分２０ｕに係合することにより、容器支持枠９のグリル庫横幅方向での位置及びグリル庫前後方向での位置が位置決めされるように構成されている。
つまり、対応壁部分２０ｕが前後位置決め部２０Ｆとして機能し、位置決め壁２０Ｚが横位置決め部２０Ｙとして機能するように構成されている。
【０１２７】
また、左右の対応壁部分２０ｕが、容器支持枠９の前後向きが反対である場合において、外方側部分９ｇと接当することにより、容器支持枠９が出退枠Ｌの適正装着位置に載置されることを牽制する牽制部Ｔとして機能するように構成されている。
【０１２８】
〔その他の別実施形態〕
次に、その他の別実施形態を列記する。
（１）上記実施形態及び別実施形態においては、調理容器Ｋとして、開放式調理容器の一例としての平坦式プレートパンＫｈや波型式プレートパンＫｎ、及び、蓋装着式調理容器の一例としての調理鍋Ｋｔを例示したが、調理容器Ｋとしては、平面視での大きさが異なる開放式調理容器や、深さが異なる蓋装着式調理容器等、各種のものを使用できる。
【０１２９】
（２）上記実施形態及び別実施形態では、容器支持枠９が棒状材を曲げ加工して形成される場合を例示したが、複数の枠材を組み付け付ける形態で容器支持枠９を形成する等、容器支持枠９の具体構成は種々変更できる。
【０１３０】
（３）上記実施形態及び別実施形態では、容器支持枠９の左右の主枠部９Ｓに、内方側部分９ｎと外方側部分９ｇとを備えさせるようにしたが、左右の主枠部９Ｓの一方にのみ、内方側部分９ｎと外方側部分９ｇとを備えさせる形態で実施してもよい。
【０１３１】
（４）主枠部９Ｓに備えさせる内方側部分９ｎと外方側部分９ｇとの形態は、上記実施形態及び別実施形態で例示した形態以外の種々の形態に変更でき、その形態に応じて、容器支持枠９が出退枠Ｌの適正装着位置に載置されることを牽制する牽制部Ｔの具体形態も種々変更できる。
【０１３２】
（５）上記実施形態及び別実施形態では、グリルＧが、ガスコンロに装備される場合を例示したが、本発明のグリルＧは、グリル専用機を構成する場合にも適用できる。
【０１３３】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【０１３４】
７      グリル庫
９      容器支持枠
９Ｓ    主枠部
９Ｆ    前方側容器支持部
９ｇ    外方側部分
９ｎ    内方側部分
９Ｒ    後方側容器支持部
９ｈ    被支持部
１５    固定レール
１６    中間レール
１７    可動レール
２０    載置支持枠
２０Ｆ  前後位置決め部
２０Ｙ  横位置決め部
Ｋ      調理容器
Ｌ      出退枠
Ｔ      牽制部
Ｖ      凹部
Ｖｓ    傾斜案内部
【図１】
2019208668.tif 000003
【図２】
2019208668.tif 000004
【図３】
2019208668.tif 000005
【図４】
2019208668.tif 000006
【図５】
2019208668.tif 000007
【図６】
2019208668.tif 000008
【図７】
2019208668.tif 000009
【図８】
2019208668.tif 000010
【図９】
2019208668.tif 000011
【図１０】
2019208668.tif 000012
【図１１】
2019208668.tif 000013
【図１２】
2019208668.tif 000014
【図１３】
2019208668.tif 000015
【図１４】
2019208668.tif 000016
【図１５】
2019208668.tif 000017
【図１６】
2019208668.tif 000018
【図１７】
2019208668.tif 000019
【図１８】
2019208668.tif 000020
【図１９】
2019208668.tif 000021
【図２０】
2019208668.tif 000022
【図２１】
2019208668.tif 000023
【図２２】
2019208668.tif 000024
【図２３】
2019208668.tif 000025
【図２４】
2019208668.tif 000026
【図２５】
2019208668.tif 000027
【図２６】
2019208668.tif 000028